(57)【要約】【課題】  搬送の際に電気機器の表面に傷が付いたり、破損したりするのを防止するとともに、電源コードがじゃまにならない電気機器を提供する。【解決手段】  本発明の画像形成装置（電気機器）１０は、電力の供給を行なう電源コード１を備える画像形成装置１０において、画像形成装置１０の周囲に電源コード１の巻きつけ部２を備え、画像形成装置１０の回収又は再生の際には、電源コード１を巻きつけ部２に巻きつけるようにしている。【選択図】      図１
2005086837.tif 000002
【特許請求の範囲】
【請求項１】
電力の供給を行なう電源コードを備える電気機器において、電気機器の周囲に電源コードの巻きつけ部を備え、電気機器の回収又は再生の際には電源コードを巻きつけ部に巻きつけていることを特徴とする電気機器。
【請求項２】
巻きつけ部には電源コードを保持する保持部材を備えることを特徴とする請求項１記載の電気機器。
【請求項３】
保持部材は電気機器の側面から突出して設けられており、保持部材の突出寸法は電源コードの太さよりも短いことを特徴とする請求項２記載の電気機器。
【請求項４】
電気機器は複数備えており、電気機器を横に並べたときに、各電気機器に設けられる各保持部材は底面から同じ高さ位置にあることを特徴とする請求項２又は３に記載の電気機器。
【請求項５】
保持部材は電気機器の周囲に沿って溝状に設けてあり、溝の内側には凹凸状の係止部を備えることを特徴とする請求項２〜４の何れか一項に記載の電気機器。
【発明の詳細な説明】
【技術分野】
【０００１】
本発明は、電力の供給を行なう電源コードを備える電気機器に関する。
【背景技術】
【０００２】
特許文献１には、リサイクルを行なう電気機器（画像形成装置）について、搬送時には電気機器の周囲等に梱包部材を配置する技術が開示されている。
【０００３】
【特許文献１】特開平７−７２６７１号公報
【発明の開示】
【発明が解決しようとする課題】
【０００４】
しかし、特許文献１に記載の従来技術では、梱包部材が別途に必要になるため、コスト高となる一方、電気機器に梱包を施さずにそのまま搬送する場合、振動や衝撃が加わると、電気機器同士が互いに衝突し、電気機器の表面に傷が付いたり、破損したりするという問題がある。
【０００５】
一方、電気機器の搬送中に電源コードがじゃまになるが、電気機器に電源コードを収納するスペースや固定する機能を備えていないため、電源コードを切断したり、圧板やＡＤＦの上部に束ねてテープ等で貼り付けたりしていた。このため、テープを剥がす際に、剥がし残しが生じ、かかる清掃のため余計なコストがかかるという問題がある。
【０００６】
そこで、本発明は、搬送の際に電気機器の表面に傷が付いたり、破損したりするのを防止するとともに、電源コードがじゃまにならない電気機器を提供することを目的とする。
【課題を解決するための手段】
【０００７】
請求項１に記載の発明は、電力の供給を行なう電源コードを備える電気機器において、電気機器の周囲に電源コードの巻きつけ部を備え、電気機器の回収又は再生の際には電源コードを巻きつけ部に巻きつけていることを特徴とする。
【０００８】
請求項２に記載の発明は、請求項１に記載の発明において、巻きつけ部には電源コードを保持する保持部材を備えることを特徴とする。
【０００９】
請求項３に記載の発明は、請求項２に記載の発明において、保持部材は電気機器の側面から突出して設けられており、保持部材の突出寸法は電源コードの太さよりも短いことを特徴とする。
【００１０】
請求項４に記載の発明は、請求項２又は３に記載の発明において、電気機器は複数備えており、電気機器を横に並べたときに、各電気機器に設けられる各保持部材は底面から同じ高さ位置にあることを特徴とする。
【００１１】
請求項５に記載の発明は、請求項２〜４の何れか一項に記載の発明において、保持部材は電気機器の周囲に沿って溝状に設けてあり、溝の内側には凹凸状の係止部を備えることを特徴とする。
【発明の効果】
【００１２】
請求項１に記載の発明によれば、電気機器の回収又は再生の際には電源コードを電気機器の周囲の巻き付け部に巻きつけているので、梱包をしないで輸送する場合、電源コードがクッションとして働き、電気機器同士が互いにぶつかったり、擦れたりするのを防止して電気機器が損傷するのを防止できる。
【００１３】
請求項２に記載された発明によれば、請求項１に記載された発明と同様の効果を奏するとともに、電機機器には側板から突出する保持部材を設けたので、電機機器に巻き付けた電源コードを保持部材に保持することができ、巻きつけた電源コードの位置がずれたり、垂れ下がったりすることを防止でき、電源コードが輸送のじゃまになるのを防止できる。
【００１４】
請求項３に記載された発明によれば、請求項２に記載の発明と同様の効果を奏するとともに、保持部材は電源コードの太さよりも側板からの突出寸法を短くしたので、電源コードが保持部材の先端から外側に露出し、電源コードの弾性力により壁や隣り合う電気機器を保護することができる。
【００１５】
請求項４に記載された発明によれば、請求項２又は３に記載された発明と同様の効果が得られるとともに、複数の電気機器を横に並べて配置したときに、保持部材が電気機器の底面から、それぞれ同じ高さ位置になるように設けたので、複数の電気機器を横に並べて配置したときに互いの電源コード同士が接し、電気機器の表面に傷が生ずるのを防止できる。
【００１６】
請求項５に記載された発明によれば、請求項２〜４の何れか一項に記載された発明と同様の効果が得られるとともに、保持部材の溝の内側には凹凸状の係止部を形成しているので、電源コードの周が係止部に係止して、電源コードが保持部材から容易に抜け出るのを防止できる。
【発明を実施するための最良の形態】
【００１７】
以下、図面を参照しつつ本発明の実施形態について説明する。図１は本発明の実施形態を示す画像形成装置の一部を示す斜視図である。図２は図１に係る画像形成装置の保持部材を示す縦断面図、図３は２つの画像形成装置を横に並べたときを示す正面図、図４は図２に示す保持部材の変形例を示す縦断面図である。
【００１８】
図１に示すように、画像形成装置（電気機器）１０は、電力の供給を行なう電源コード１を備えており、画像形成装置１０の周囲に電源コード１の巻き付け部２を備え、巻き付け部２は画像形成装置１０の正面側側板１１の左右隅部及び背面側側板１３の左右隅部に側板表面から突出する保持部材３を設けている。そして、搬送時には画像形成装置１０本体から延出する電源コード１を保持部材３で保持して固定できるようになっている。
【００１９】
保持部材３の側板表面からの突出寸法長さ（図２中（ｂ）で示す）は、電源コード１の太さ（図２中（ａ）で示す）よりも短くなっており、電源コード１を保持部材３に固定したときに、電源コード１が保持部材３の先端からはみ出るようになっている。
【００２０】
また、保持部材３は画像形成装置１０の底面から所定の同じ基準高さ（図３中ｓ、ｍで示す）に設けるようにしており、複数の画像形成装置１０を横に並べて配置したときに、電源コード１同士が互いに突き合う位置で接し、画像形成装置１０の表面に傷が生ずるのを防止している。
【００２１】
さらに、保持部材３は画像形成装置１０の周囲に沿って溝状に設けており、溝の内側には凹凸状の係止部９を形成しており、電源コード１が係止部９に係止して、電源コード１が保持部材３から容易に抜け出るのを防止できる。
【００２２】
次に、本実施の形態にかかる画像形成装置１０の作用について説明する。画像形成装置１０を再使用の為に回収する際には、画像形成装置１０本体の電源コード１をコンセントから抜く。そして、画像形成装置１０の周りに電源コード１を巻き付け、保持部材３に対して電源コード１を押し込むことで、保持部材３の先端部分が弾性変形により両側に開き、さらに電源コード１は奥側に押し込まれて保持部材３に固定される。尚、電源コード１の先端部分が余った場合、図１に示すように、先端部分を巻きつけた電源コード１と装置本体１０の側板との間に挟むことで、電源コード１の先端部分が垂れ下がるのを防止できる。
【００２３】
以上のように、画像形成装置１０をリサイクルする場合、画像形成装置１０の搬送時に、電源コード１を画像形成装置１０の周りの巻きつけ部２に巻きつけているので、電源コード１のゴム部分がクッションとして働き、画像形成装置１０同士が互いにぶつかったり、擦れたりするのを防止して画像形成装置１０が損傷するのを防止できる。
【００２４】
なお、本発明は上述した実施の形態に限定されず、その要旨を逸脱しない範囲で種々の変形が可能である。上述の実施形態は電気機器を複写機、プリンタ、ＦＡＸなどの画像形成装置１０として説明したが、シュレッダー等の電源コードを備えるものであれば電気機器の種類は問わない。
【００２５】
また、電気機器の形状は直方体状に限らず、球形状や円筒形状であっても良い。
【００２６】
保持部材３の係止部９は波形状の凹凸としたが、図４に示すように係止部９は歯形状の凹凸としても良い。
【００２７】
保持部材３は画像形成装置１０本体に予め備えるものに限らず、後付けにより画像形成装置１０に取り付けるものであっても良い。
【図面の簡単な説明】
【００２８】
【図１】本発明の実施形態を示す画像形成装置の一部を示す斜視図である。
【図２】図１に係る画像形成装置の保持部材を示す縦断面図である。
【図３】図１に示す２つの画像形成装置を横に並べて配置したときを示す正面図である。
【図４】図２に示す保持部材の変形例を示す縦断面図である。
【符号の説明】
【００２９】
１    電源コード
３    保持部材
９    凹凸
１０  電気機器（画像形成装置）
【図１】
2005086837.tif 000003
【図２】
2005086837.tif 000004
【図３】
2005086837.tif 000005
【図４】
2005086837.tif 000006